(57)【要約】      （修正有）【課題】匍匐害虫の捕獲能力を十分に得ながら、設置に要する面積の小さな匍匐害虫捕獲器を提供する。【解決手段】容器１Ａの内部には、第１導入空間Ｒ１と第２導入空間Ｒ２とを上下に区画形成する。容器１Ａの内部には、第１導入空間Ｒ１を形成する上壁部の内面に配置される第１粘着剤２と、第２導入空間Ｒ２を形成する上壁部の内面に配置される第２粘着剤３とが設けられている。【選択図】図１１
2019165726.tif 000002
【特許請求の範囲】
【請求項１】
匍匐害虫を導入する容器を備え、該容器に導入した匍匐害虫を捕獲する匍匐害虫捕獲器において、
上記容器には、匍匐害虫を該容器の内部に導入するための第１導入口と第２導入口とが形成され、
上記容器の内部には、上記第１導入口に連通して匍匐害虫を導入する第１導入空間及び上記第２導入口に連通して匍匐害虫を導入する第２導入空間を該容器の内部において上下に区画形成するための区画部と、上記第１導入空間を形成する上壁部の内面に配置される第１粘着剤と、上記第２導入空間を形成する上壁部の内面に配置される第２粘着剤とが設けられていることを特徴とする匍匐害虫捕獲器。
【請求項２】
請求項１に記載の匍匐害虫捕獲器において、
上記第１導入空間を形成する底壁部と、上記第２導入空間を形成する底壁部とは、水平面に対する角度が互いに異なっていることを特徴とする匍匐害虫捕獲器。
【請求項３】
請求項２に記載の匍匐害虫捕獲器において、
上記第１導入空間は上記第２導入空間の下方に形成され、
上記第１導入空間を形成する底壁部は、上記匍匐害虫捕獲器が設置される設置面と略平行に延び、
上記第２導入空間を形成する底壁部は、上記設置面に対して傾斜していることを特徴とする匍匐害虫捕獲器。
【請求項４】
請求項３に記載の匍匐害虫捕獲器において、
上記第２導入空間を形成する底壁部は、上記区画部であることを特徴とする匍匐害虫捕獲器。
【請求項５】
請求項３に記載の匍匐害虫捕獲器において、
上記第１導入空間を形成する上壁部は、上記区画部であることを特徴とする匍匐害虫捕獲器。
【請求項６】
請求項１から５のいずれか１つに記載の匍匐害虫捕獲器において、
上記第１導入空間の上下方向の寸法は、上記第１導入口から遠ざかるにつれて短くなるように設定されていることを特徴とする匍匐害虫捕獲器。
【請求項７】
請求項１から６のいずれか１つに記載の匍匐害虫捕獲器において、
上記第２導入空間の上下方向の寸法は、上記第２導入口から遠ざかるにつれて短くなるように設定されていることを特徴とする匍匐害虫捕獲器。
【請求項８】
請求項１から７のいずれか１つに記載の匍匐害虫捕獲器において、
上記区画部には、匍匐害虫を誘引する誘引剤を含む誘引部材が取り付けられることを特徴とする匍匐害虫捕獲器。
【発明の詳細な説明】
【技術分野】
【０００１】
本発明は、例えばゴキブリ等の匍匐害虫を捕獲する匍匐害虫捕獲器に関する。
【背景技術】
【０００２】
従来より、一般家庭等ではゴキブリを捕獲するゴキブリ捕獲器が使用されている。ゴキブリ捕獲器は例えば床面等に設置しておき、床面を歩行するゴキブリをゴキブリ捕獲器に形成されている導入口から内部に導入し、内部に設けられている粘着剤によりゴキブリを捕獲することができるように構成されている（例えば、特許文献１〜５参照）。
【０００３】
特許文献１のゴキブリ捕獲器は、小箱状の容器を複数段積み重ねて構成されており、各容器の内部の底面は水平方向に延びており、その底面に粘着剤が設けられている。
【０００４】
特許文献２のゴキブリ捕獲器は、底板部が水平方向に延びる一方、上板部は容器の奥側へ行くほど下に位置するように傾斜している。上板部の内面に粘着剤が設けられている。
【０００５】
特許文献３のゴキブリ捕獲器は、底板部が水平方向に延びる一方、上板部はその長手方向一方側の端部から中央部に近づくほど下に位置するように傾斜し、また長手方向他方側の端部から中央部に近づくほど下に位置するように傾斜している。上板部の内面における長手方向一方側と他方側にそれぞれ粘着剤が設けられている。
【０００６】
特許文献４のゴキブリ捕獲器は、底板部が水平方向に延びる一方、上板部は底板部と略平行に延びる部分と、底板部に対して傾斜する部分とを有している。上板部の内面に粘着剤が設けられている。
【０００７】
特許文献５のゴキブリ捕獲器は、底板部が水平方向に延びており、この底板部と上板部との間に山型に形成された中間板を設けている。底板部の上面と、中間板の上面に粘着剤が設けられている。
【先行技術文献】
【特許文献】
【０００８】
【特許文献１】特許第４３９２６９８号公報
【特許文献２】特開２００６−１３６２９６号公報
【特許文献３】実開昭４９−１１２７６８号公報
【特許文献４】特許第２６９４３３８号公報
【特許文献５】特開平６−３２７３８９号公報
【発明の概要】
【発明が解決しようとする課題】
【０００９】
ところで、市販されているゴキブリ捕獲器の多くは、特許文献１のように容器の内部の底面に粘着剤を設けているが、特許文献２〜４のように、容器におけるゴキブリが導入される空間の上壁面（天井面）に相当する部分に粘着剤を設ける構造もあり、上壁面に粘着剤を設ける構造とすることで、ゴキブリの羽根または背部を粘着剤に付着させることができるので脚を付着させる場合に比べて粘着剤との接触面積が広くなり、一旦捕獲した後に逃げ出してしまうゴキブリの数を減らすことが可能になると考えられる。また、ゴキブリの脚は粘着剤に付着した状態でちぎれてしまうことがあり、この点からも羽根または背部を粘着剤に付着させることに利点があると言える。従って、容器の内部の上壁面に粘着剤を設ける構造を採用したい場合がある。
【００１０】
ここで、ゴキブリ捕獲器の一般的な使用形態に着目すると、床面に設置するケースが殆どであり、場合によっては家具の隙間等、狭い場所に設置することもある。よって、ゴキブリ捕獲器は、設置に要する面積、即ち平面視における投影面積をできるだけ小さくしたいという要求がある。
【００１１】
しかしながら、特許文献２では、ゴキブリ捕獲器が水平方向に長く形成されていて、複数のゴキブリ導入口が水平方向に並ぶように形成されているので、ゴキブリの捕獲能力については確保できる可能性があるが、設置に要する面積は拡大してしまうという問題がある。
【００１２】
また、特許文献３では、上板部の長手方向一側と他側にそれぞれ粘着剤を設けているので、ゴキブリの捕獲能力については確保できる可能性があるが、設置に要する面積は拡大してしまうという問題がある。特許文献４も同様な問題を有すると考えられる。
【００１３】
以上のことはゴキブリに限られるものではなく、他の匍匐害虫についても同様に生じ得る問題である。
【００１４】
本発明は、かかる点に鑑みてなされたものであり、その目的とするところは、匍匐害虫の捕獲能力を十分に得ながら、設置に要する面積を小さくすることにある。
【課題を解決するための手段】
【００１５】
上記目的を達成するために、第１の発明は、匍匐害虫を導入する容器を備え、該容器に導入した匍匐害虫を捕獲する匍匐害虫捕獲器において、上記容器には、匍匐害虫を該容器の内部に導入するための第１導入口と第２導入口とが形成され、上記容器の内部には、上記第１導入口に連通して匍匐害虫を導入する第１導入空間及び上記第２導入口に連通して匍匐害虫を導入する第２導入空間を該容器の内部において上下に区画形成するための区画部と、上記第１導入空間を形成する上壁部の内面に配置される第１粘着剤と、上記第２導入空間を形成する上壁部の内面に配置される第２粘着剤とが設けられていることを特徴とする。
【００１６】
この構成によれば、第１導入口から第１導入空間に導入された匍匐害虫が例えばゴキブリである場合には、第１導入空間の上部に第１粘着剤が配置されているので、羽根または背部が第１粘着剤に付着することになり、第１導入空間から逃げ出しにくくなる。また、第２導入口から第２導入空間に例えばゴキブリが導入されると、第２導入空間の上部に第２粘着剤が配置されているので、羽根または背部が第２粘着剤に付着することになり、第２導入空間から逃げ出しにくくなる。
【００１７】
第１導入空間及び第２導入空間は容器の内部において上下に形成されているので、容器の平面視における投影面積を小さくしながら、その内部において広い粘着面積を確保することが可能になる。
【００１８】
尚、捕獲対象となる匍匐害虫は、ゴキブリに限られるものではなく、床面等を歩行する害虫を全て対象とすることができる。羽根のない害虫であっても、背部が粘着剤に付着することで粘着面積が広くなって逃げ出しにくくなるので、羽根の有無は問わない。
【００１９】
第２の発明は、上記第１導入空間を形成する底壁部と、上記第２導入空間を形成する底壁部とは、水平面に対する角度が互いに異なっていることを特徴とする。
【００２０】
すなわち、匍匐害虫の個体によって導入しやすい底壁部の角度が異なることが考えられるが、この場合に、第１導入空間を形成する底壁部と、第２導入空間を形成する底壁部とを異なる角度にすることで、捕獲能力の更なる向上が期待できる。
【００２１】
第３の発明は、上記第１導入空間は上記第２導入空間の下方に形成され、上記第１導入空間を形成する底壁部は、上記匍匐害虫捕獲器が設置される設置面と略平行に延び、上記第２導入空間を形成する底壁部は、上記設置面に対して傾斜していることを特徴とする。
【００２２】
この構成によれば、第１導入空間の底壁部が設置面に沿うように配置され、その上方に第２導入空間の底壁部が配置される。
【００２３】
第４の発明は、上記第２導入空間を形成する底壁部は、上記区画部であることを特徴とする。
【００２４】
この構成によれば、第２導入空間を形成する底壁部と区画部とを共通の部材で構成できるので、容器をコンパクト化することができる。
【００２５】
第５の発明は、上記第１導入空間を形成する上壁部は、上記区画部であることを特徴とする。
【００２６】
この構成によれば、第１導入空間を形成する上壁部と区画部とを共通の部材で構成できるので、容器をコンパクト化することができる。
【００２７】
第６の発明は、上記第１導入空間の上下方向の寸法は、上記第１導入口から遠ざかるにつれて短くなるように設定されていることを特徴とする。
【００２８】
この構成によれば、匍匐害虫が第１導入口から第１導入空間に導入されて奥へ進んでいくと第１粘着剤と匍匐害虫との離間距離が短くなり、匍匐害虫を第１粘着剤に確実に付着させることができる。
【００２９】
第７の発明は、上記第２導入空間の上下方向の寸法は、上記第２導入口から遠ざかるにつれて短くなるように設定されていることを特徴とする。
【００３０】
この構成によれば、匍匐害虫が第２導入口から第２導入空間に導入されて奥へ進んでいくと第２粘着剤と匍匐害虫との離間距離が短くなり、匍匐害虫を第２粘着剤に確実に付着させることができる。
【００３１】
第８の発明は、上記区画部には、匍匐害虫を誘引する誘引剤を含む誘引部材が取り付けられることを特徴とする。
【００３２】
この構成によれば、区画部を、誘引部材を取り付ける部分として利用することができる。
【発明の効果】
【００３３】
本発明によれば、容器の内部に、匍匐害虫を導入する第１導入空間及び第２導入空間を上下に区画形成するための区画部を設け、第１導入空間及び第２導入空間の上部にそれぞれ粘着剤を配置したので、匍匐害虫の捕獲能力を十分に得ながら、設置に要する面積を小さくすることができる。
【図面の簡単な説明】
【００３４】
【図１】本発明の実施形態１に係る匍匐害虫捕獲器を前方から見た斜視図である。
【図２】匍匐害虫捕獲器を後方から見た斜視図である。
【図３】匍匐害虫捕獲器の平面図である。
【図４】匍匐害虫捕獲器の正面図である。
【図５】匍匐害虫捕獲器の背面図である。
【図６】匍匐害虫捕獲器の右側面図である。
【図７】匍匐害虫捕獲器の底面図である。
【図８】図３におけるVIII−VIII線断面図である。
【図９】匍匐害虫捕獲器を底面側から見ており、誘引部材を取り付ける要領を説明する図である。
【図１０】匍匐害虫捕獲器を上下反転させた状態で誘引部材を取り付ける要領を説明する図８相当図である。
【図１１】匍匐害虫捕獲器でゴキブリを捕獲した状態を示す図８相当図である。
【図１２】匍匐害虫捕獲器の容器となる板材の展開図である。
【図１３】板材に粘着剤を設けた状態を示す斜視図である。
【図１４】内方側板部を折り曲げた状態を示す板材の斜視図である。
【図１５】区画壁部を折り曲げた状態を示す板材の斜視図である。
【図１６】後側壁部及び上壁部を折り曲げる途中の状態を示す板材の斜視図である。
【図１７】挿入片を差し込む要領を説明する斜視図である。
【図１８】実施形態１の変形例に係る板材の展開図である。
【図１９】本発明の実施形態２に係る匍匐害虫捕獲器を上方かつ前側から見た斜視図である。
【図２０】実施形態２の匍匐害虫捕獲器を上方かつ後側から見た斜視図である。
【図２１】実施形態２の匍匐害虫捕獲器の正面図である。
【図２２】実施形態２の匍匐害虫捕獲器の右側面図である。
【図２３】図２１におけるXXIII−XXIII線断面図である。
【図２４】図２２におけるXXIV−XXIV線断面図である。
【図２５】実施形態２の匍匐害虫捕獲器の平面図である。
【図２６】実施形態２の匍匐害虫捕獲器の底面図である。
【図２７】実施形態２の変形例に係る図１相当図である。
【図２８】実施形態２の匍匐害虫捕獲器の展開図である。
【図２９】実施形態２の匍匐害虫捕獲器の製造途中を示す斜視図である。
【図３０】実施形態２の変形例に係る図２４相当図である。
【図３１】実施形態２の変形例に係る匍匐害虫捕獲器の展開図である。
【発明を実施するための形態】
【００３５】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３６】
（実施形態１）
図１は、本発明の実施形態１に係る匍匐害虫捕獲器１を前方から見た斜視図であり、図２は、匍匐害虫捕獲器１を後方から見た斜視図である。この匍匐害虫捕獲器１は、匍匐害虫を捕獲するための器具である。匍匐害虫捕獲器１で捕獲する対象となる匍匐害虫としては、例えばゴキブリを挙げることができるが、ゴキブリに限られるものではなく、床や地面を歩行する様々な害虫であってもよい。ゴキブリには、クロゴキブリ、チャバネゴキブリ、ワモンゴキブリ等が含まれるとともに、各々、オス、メス、卵鞘を持ったメス、幼虫等が含まれる。匍匐害虫捕獲器１は、匍匐害虫を導入する容器１Ａと、図８等に示す第１粘着剤２及び第２粘着剤３とを少なくとも備えており、該容器１Ａに導入した匍匐害虫を捕獲することができるように構成されている。第１粘着剤２及び第２粘着剤３は、容器１Ａの内部に設けられている。また、容器１Ａの内部には誘引部材４が収容されている。誘引部材４によって容器１Ａの内部に誘引された匍匐害虫を第１粘着剤２や第２粘着剤３によって捕獲することができる他、誘引されなくても容器１Ａの内部に導入された匍匐害虫を第１粘着剤２や第２粘着剤３によって捕獲することができる。なお、匍匐害虫の種類によっては暗くて狭い空間を好む習性を有するもの等があり、そのような場合は誘引部材４が無くても容器１Ａ内に誘引できるので、誘引部材４を省略することができる。
【００３７】
尚、この実施形態の説明では、各図に示すように匍匐害虫捕獲器１の前側及び後側を定義し、前側から見たときに右となる側を右側、左となる側を左側と定義するが、これは説明の便宜を図るためだけであり、実際の使用時の姿勢や運搬時の姿勢、製造時の姿勢を限定するものではない。例えば、匍匐害虫捕獲器１の前側が、使用者から向かって右や左、後に位置するように匍匐害虫捕獲器１を設置したり、匍匐害虫捕獲器１の前側が上や下に位置するように匍匐害虫捕獲器１を設置することもできる。
【００３８】
また、匍匐害虫捕獲器１は、一般家庭や事務所、各種工場等の床面に載置して使用することができる他、地面に直接載置して使用することもできる。また、例えば、家具と壁の隙間や電化製品と壁の隙間等、匍匐害虫が歩行しそうな場所に設置することもできる。また、壁に沿わせて設置することや、家具や電化製品の上に設置して使用することもできる。
【００３９】
（容器１Ａの構成）
容器１Ａは、例えばボール紙等の厚紙からなる１枚の板材１００（図１２に示す）で構成されている。板材１００は、厚紙や、厚紙に印刷層が設けられた部材以外にも例えば樹脂材等で構成されていてもよいが、組み立てた状態で長期間（短くても数週間から数ヶ月）に亘って形状を維持することができる形状維持性を備えた部材で構成するのが好ましい。
【００４０】
容器１Ａは、図１、図２、図８等に示すように、底壁部１０と、上壁部１１と、右側壁部１２と、左側壁部１３と、後端壁部１４と、区画壁部（区画部）１５とを備えている。容器１Ａの内部には、匍匐害虫を導入する第１導入空間Ｒ１及び第２導入空間Ｒ２が区画壁部１５によって区画形成されている。第２導入空間Ｒ２は第１導入空間Ｒ１の上方に位置しており、２階建て構造となっている。第２導入空間Ｒ２の容積を第１導入空間Ｒ１の容積よりも大きくすることができる。尚、第２導入空間Ｒ２の容積と第１導入空間Ｒ１の容積とを同じにしてもよいし、第２導入空間Ｒ２の容積を第１導入空間Ｒ１の容積よりも小さくしてもよい。
【００４１】
容器１Ａの底壁部１０は、下側に位置する第１導入空間Ｒ１を形成する底壁部となっており、また、容器１Ａの上壁部１１は、上側に位置する第２導入空間Ｒ２を形成する上壁部となっている。容器１Ａの上壁部１１の前端部は、容器１Ａの底壁部１０の前端部よりも後に位置している。容器１Ａの上壁部１１の後端部は、容器１Ａの底壁部１０の後端部よりも前に位置している。よって、容器１Ａの上壁部１１の前後方向の寸法は、容器１Ａの底壁部１０の前後方向の寸法よりも短くなっている。
【００４２】
容器１Ａの右側壁部１２は、第１導入空間Ｒ１及び第２導入空間Ｒ２を形成する右側壁部となっている。容器１Ａの左側壁部１３は、第１導入空間Ｒ１及び第２導入空間Ｒ２を形成する左側壁部となっている。容器１Ａの後端壁部１４は、第１導入空間Ｒ１を形成する後側壁部となっている。区画壁部１５は、容器１Ａの内部において右側壁部１２の内面から左側壁部１３の内面まで左右方向に延びるとともに、容器１Ａの前端部から後端部近傍まで延びている。また、この区画壁部１５の前端部は、底壁部１０の前端部と連なる一方、区画壁部１５の後端部は、上壁部１１の後端部近傍に位置している。区画壁部１５は全体として容器１Ａの前側へ向かって下降傾斜して延びている。
【００４３】
この区画壁部１５の下面よりも下側の空間が第１導入空間Ｒ１とされ、区画壁部１５の上面よりも上側の空間が第２導入空間Ｒ２とされている。よって、第２導入空間Ｒ２を形成する底壁部は区画壁部１５であり、また、第１導入空間Ｒ１を形成する上壁部は区画壁部１５であり、第１導入空間Ｒ１を形成する上壁部と、第２導入空間Ｒ２を形成する底壁部とは共通の区画壁部１５で構成されている。
【００４４】
第１導入空間Ｒ１を形成する底壁部１０は、設置面Ｇ（図８にのみ仮想線で示す）と略平行、即ち、設置面Ｇに沿って延びている。設置面Ｇは、例えば床面等であり、図８に示すような平坦面であってもよいし、凹凸がある面であってもよい。第２導入空間Ｒ２を形成する底壁部である区画壁部１５は、上述したように前側へ向かって下降傾斜しているので設置面Ｇに対して傾斜することになる。つまり、第１導入空間Ｒ１を形成する底壁部１０と、第２導入空間Ｒ２を形成する底壁部（区画壁部１５）とは、水平面（例えば設置面Ｇ）に対する角度が互いに異なっている。
【００４５】
また、第２導入空間Ｒ２を形成する上壁部１１は、後側へ向かって下降傾斜するように形成することができるが、設置面Ｇに対して略平行に形成してもよいし、前側へ向かって下降傾斜するように形成してもよい。
【００４６】
容器１Ａの後端壁部１４は、上端部が下端部よりも前に位置するように傾斜している。後端壁部１４の下端部は、底壁部１０の後端部に連なっている。また、後端壁部１４の上端部は、上壁部１１の後端部に連なっている。従って、底壁部１０と、上壁部１１とは後端壁部１４によって連結されることになる。この後端壁部１４の傾斜角度は、上壁部１１の傾斜角度よりも急に設定されている。
【００４７】
容器１Ａの後端壁部１４には、匍匐害虫を該容器１Ａの内部に導入するための後側導入口（第１導入口）１４ａが形成されている。後側導入口１４ａは、容器１Ａの左右方向に長い形状とされており、後側導入口１４ａの下縁部は、容器１Ａの下端部に位置する一方、後側導入口１４ａの上縁部は、後端壁部１４の上下方向中間部に位置している。また、後側導入口１４ａの左右方向の寸法は、容器１Ａの左右方向の寸法よりも短くなるように設定されていて、後側導入口１４ａの右縁部は後端壁部１４の右縁部から左側へ離れ、後側導入口１４ａの左縁部は後端壁部１４の左縁部から右側へ離れている。このように後側導入口１４ａの左右方向の寸法を後端壁部１４の左右方向の寸法よりも短くして、後端壁部１４の左右両側に開口が形成されない領域を設けておくことで、後端壁部１４によって底壁部１０と上壁部１１との連結が可能になる。後端壁部１４によって底壁部１０と上壁部１１とを連結する必要が無い場合、即ち、複数の板材を組み合わせて容器１Ａを構成する場合には、後側導入口１４ａの左右方向の寸法を後端壁部１４の左右方向の寸法と同一にすることができる。また、図示しないが、後端壁部１４に複数の後側導入口を形成してもよい。この場合、複数の後側導入口が後端壁部１４の上下に並ぶように形成することや、左右に並ぶように形成することもできる。
【００４８】
後側導入口１４ａは、図５等に示すように左右に長い長方形とすることができるが、後側導入口１４ａの形状は特に限定されるものではない。例えば、後側導入口１４ａの左右両縁部を円弧状に湾曲させ、長円形の後側導入口１４ａとすることができる。後側導入口１４ａの左右両縁部を曲線で構成しておけば、後側導入口１４ａの左右両縁部近傍を起点とした板材１００の破断、及び折れが抑制される。
【００４９】
容器１Ａの前側壁部の全体に、匍匐害虫を該容器１Ａの内部に導入するための前側導入口（第２導入口）１６が形成されている。容器１Ａの上壁部１１の前端部が底壁部１０の前端部よりも後に位置しているので、前側導入口１６は、斜め上方に向いて開口することになる。前側導入口１６の上縁部は、容器１Ａの上壁部１１の前端部に位置しており、左右方向に直線状に延びている。また、前側導入口１６の下縁部は、容器１Ａの底壁部１０の前端部に位置しており、左右方向に直線状に延びている。また、前側導入口１６の右縁部及び左縁部は、それぞれ右側壁部１２の前縁部及び左側壁部１３の前縁部に位置しており、上下方向に直線状に延びている。従って、容器１Ａを正面から見たとき、前側導入口１６は左右方向に長い長方形となる。前側導入口１６の上縁部は、後側導入口１４ａの上縁部よりも高いところに位置付けられている。
【００５０】
尚、前側導入口１６の形状は長方形に限られるものではなく、例えば、長円形、台形等であってもよい。また、この実施形態では、容器１Ａの前壁部の全体に前側導入口１６を形成しているので、容器１Ａの前側壁部を図示していないが、前側壁部の一部にのみ前側導入口１６を形成してもよい。図示しないが、前側壁部に複数の前側導入口を形成してもよい。この場合、複数の前側導入口が前側壁部の上下に並ぶように形成することや、左右に並ぶように形成することもできる。
【００５１】
第１導入空間Ｒ１の後端部に後側導入口１４ａが連通している。第１導入空間Ｒ１における匍匐害虫が導入される側は容器１Ａの後側である。第１導入空間Ｒ１の手前側は容器１Ａの後側であり、第１導入空間Ｒ１の奥側は容器１Ａの前側である。第１導入空間Ｒ１を形成する底壁部１０が設置面Ｇに沿う一方、第１導入空間Ｒ１を形成する上壁部（区画壁部１５）が前側へ向かって下降傾斜しているので、第１導入空間Ｒ１の上下方向の寸法Ｈ１（図８に示す）は、後側導入口１４ａから遠ざかるにつれて短くなるように設定される。つまり、第１導入空間Ｒ１の断面は容器１Ａの前側に頂点を有する三角形に近い形状になる。
【００５２】
一方、第２導入空間Ｒ２の前端部に前側導入口１６が連通している。第２導入空間Ｒ２における匍匐害虫が導入される側は容器１Ａの前側であり、第１導入空間Ｒ１における匍匐害虫が導入される側とは反対側になる。第２導入空間Ｒ２の手前側は容器１Ａの前側であり、第２導入空間Ｒ２の奥側は容器１Ａの後側である。第２導入空間Ｒ２を形成する底壁部（区画壁部１５）が前側へ向けて下降傾斜する一方、第２導入空間Ｒ２を形成する上壁部１１が後側へ向かって下降傾斜しているので、第２導入空間Ｒ２の上下方向の寸法Ｈ２（図８に示す）は、前側導入口１６から遠ざかるにつれて短くなるように設定される。つまり、第２導入空間Ｒ２の断面は容器１Ａの後側に頂点を有する三角形に近い形状になる。
【００５３】
図８に示すように、第１導入空間Ｒ１を形成する底壁部１０が設置面Ｇに沿う方向に延び、区画壁部１５が前側へ向けて下降傾斜し、第２導入空間Ｒ２を形成する上壁部１１が後側へ向かって下降傾斜しているので、断面を見ると、底壁部１０、区画壁部１５及び上壁部１１がＺ字状をなすことになる。このように、断面三角形状の第１および第２導入空間Ｒ１、Ｒ２を、前後互い違いで上下に重ねて断面Ｚ字状としているので、第１および第２導入空間Ｒ１、Ｒ２をスペース効率良く配置することができる。これにより、容器１Ａをコンパクトに構成できる。
【００５４】
容器１Ａの前端部には、返し部１７が設けられている。返し部１７は、上壁部１１の前端部に連なるとともに、前側導入口１６の上縁部から後側へ向かって斜め下方へ延びる上側返し部１７ａと、右壁部１２の前端部に連なるとともに、前側導入口１６の右縁部から後側へ向かって延びる右側返し部１７ｂと、左壁部１３の前端部に連なるとともに、前側導入口１６の左縁部から後側へ向かって延びる左側返し部１７ｃとで構成されている。返し部１７は必須のものではないが、例えば、容器１Ａの上に登った匍匐害虫が、前側導入口１６に対して上方から侵入しようとした際に脚が粘着剤３に触れることを阻止できるので、警戒心を抱かせることを抑制する効果を期待できる。また、第２導入空間Ｒ２内に異物が侵入することを抑制する効果や、ユーザーの指が誤って粘着剤３に触れてしまうことを抑制する効果も期待できる。また、図示しないが、返し部１７の代わり、または返し部１７と共に容器１Ａの前端部に庇部を設けてもよい。
【００５５】
区画壁部１５には、第１導入空間Ｒ１と第２導入空間Ｒ２とを連通させる連通部を形成するための切り欠き部１５ａが設けられている。切り欠き部１５ａは、区画壁部１５の後部における左右方向中間部を切り欠くことによって形成されており、この切り欠き部１５ａの形成によって第１導入空間Ｒ１の手前側上部と、第２導入空間Ｒ２の奥側下部とが切り欠き部１５ａの内部を介して連通する。区画壁部１５は、第１導入空間Ｒ１を形成する上壁部であるので、第１導入空間Ｒ１を形成する上壁部に連通部が設けられることになり、また、区画壁部１５は、第２導入空間Ｒ２を形成する底壁部であるので、第２導入空間Ｒ２を形成する底壁部に連通部が設けられることもなる。図示しないが、切り欠き部は区画壁部１５に複数設けられていてもよい。切り欠き部は、区画壁部１５の右縁部や左縁部に設けられていてもよい。
【００５６】
第１粘着剤２は、第１導入空間Ｒ１を形成する上壁部（区画壁部１５）の下面（第１導入空間Ｒ１の内面）に配置される。また、第２粘着剤３は、第２導入空間Ｒ２を形成する上壁部１１の下面（第２導入空間Ｒ２の内面）に配置される。第１導入空間Ｒ１の上下方向の寸法Ｈ１及び第２導入空間Ｒ２の上下方向の寸法Ｈ２は、それぞれの空間Ｒ１、Ｒ２に匍匐害虫が導入されたときに、匍匐害虫の背が第１粘着剤２及び第２粘着剤３に接触するように設定することができ、例えば、第１導入空間Ｒ１及び第２導入空間Ｒ２の前後方向中央部におけるＨ１、Ｈ２は、５ｍｍ〜２０ｍｍ程度にすることができる。Ｈ１、Ｈ２は、対象とする匍匐害虫の種類に応じた寸法にすることができる。
【００５７】
以上のように、第１および第２導入空間Ｒ１、Ｒ２は、奥に進むにつれて上下方向に狭くなるように形成されるとともに、それぞれの導入空間Ｒ１、Ｒ２の上壁部の下面に粘着剤２、３が設けられている。このように構成されているので、匍匐害虫は、後側導入口１４ａまたは前側導入口１６の近傍では粘着剤の存在に気付かず、警戒することなく第１または第２導入空間Ｒ１、Ｒ２の内部へと侵入する。そして、無警戒のまま第１または第２導入空間Ｒ１、Ｒ２の奥側に進んでいくと、羽根または背部が粘着剤に付着して捕獲されるので、逃げ出すことができなくなる。
【００５８】
第１粘着剤２及び第２粘着剤３は板材１００に塗布されている。すなわち、図１３及び図１４に示すように、板材１００の展開状態で、第１導入空間Ｒ１を形成する上壁部（区画壁部）の下面と、第２導入空間Ｒ２を形成する上壁部１１の下面とが該板材１００の同一面上に位置している。そして、区画壁部１５の下面と、第２導入空間Ｒ２を形成する上壁部１１の下面とに、それぞれ第１粘着剤２及び第２粘着剤３（図１２及び図１３に斜線で示す）が設けられている。
【００５９】
第１粘着剤２及び第２粘着剤３を板材１００の同一面に設けたことで、例えば図示しない塗工機を用いて粘着剤を塗布する際には、一工程で第１粘着剤２及び第２粘着剤３の両方の塗布を完了させることができる。尚、第１粘着剤２及び第２粘着剤３を板材１００の別の面に設けるようにしてもよい。
【００６０】
また、第１粘着剤２を区画壁部１５に設ける際には、第１粘着剤２の周縁部が、区画壁部１５の前縁部、後縁部、左右両縁部から離れるように、塗布範囲が設定されている。また、第２粘着剤３を上壁部１１に設ける際には、第２粘着剤３の周縁部が、上壁部１１の前縁部、後縁部、左右両縁部から離れるように、塗布範囲が設定されている。これにより、図８等に示すように、板材１００を折り曲げて容器１Ａを形成した際に、第１粘着剤２が区画壁部１５以外の部分に粘着しなくなるとともに、第２粘着剤３が上壁部１１以外の部分に粘着しなくなる。
【００６１】
また、区画壁部１５の前縁部、後縁部、左右両縁部は狭いので、第１粘着剤２が存在していても、殆ど捕獲に寄与しない領域となる。このような領域に第１粘着剤２を設けることなく、区画壁部１５の中央寄りの領域にのみ第１粘着剤２を設けることで、捕獲能力を殆ど低下させることなく、第１粘着剤２の使用量を削減することができる。区画壁部１５の前縁部、後縁部、左右両縁部のいずれか１つの縁部または任意の複数の縁部にのみ、第１粘着剤２が存在しないようにしてもよい。区画壁部１５の一部にのみ第１粘着剤２を設けることもできる。
【００６２】
即ち、匍匐害虫の脚を床面の粘着剤に付着させる従来の捕獲器においては、捕獲面積を増やすという観点からは床面の全面に粘着剤が塗布されていることが好ましかった。これに対し、本実施形態は、匍匐害虫の羽根または背部を天井面の粘着剤に付着させて捕獲するものであるところ、匍匐害虫の背中は上向きに凸の断面形状を有するため、天井面の縁部近傍の粘着剤には付着しにくく、殆ど捕獲に寄与しない。そこで上記のように、天井面（区画壁部１５）の縁部近傍には粘着剤を塗布しないことにより、無駄な粘着剤を減らすことができる。
【００６３】
同様に、上壁部１１の前縁部、後縁部、左右両縁部も殆ど捕獲に寄与しない領域であり、上壁部１１の中央寄りの領域にのみ第２粘着剤３を設けることで、捕獲能力を殆ど低下させることなく、第２粘着剤３の使用量を削減することができる。上壁部１１の前縁部、後縁部、左右両縁部のいずれか１つの縁部または任意の複数の縁部にのみ、第１粘着剤２が存在しないようにしてもよい。上壁部１１の一部にのみ第１粘着剤２を設けることもできる。
【００６４】
また、第１粘着剤２を区画壁部１５の全体に設けてもよく、この場合、第１粘着剤２の外周部の厚みを当該外周部よりも内側の領域に比べて薄くしてもよい。これにより、殆ど捕獲に寄与しない領域の粘着剤の使用量を削減できる。また、第２粘着剤３を上壁部１１の全体に設けてもよく、この場合、第１粘着剤２の外周部の厚みを当該外周部よりも内側の領域に比べて薄くしてもよい。また、第１粘着剤２及び第２粘着剤３の各部の厚みは任意に設定することができ、相対的に薄い部分の厚みは、相対的に厚い部分の厚みの２／３〜１／４程度に設定することができる。第１粘着剤２及び第２粘着剤３の相対的に厚い部分は、例えば粘着剤を２層や３層にした複層構造にすることもできる。第１粘着剤２及び第２粘着剤３を複層構造にする場合には、粘着剤を複数段階で塗布することができる。
【００６５】
誘引部材４は、誘引剤容器４ａと、該誘引剤容器４ａに収容される誘引剤４ｂとを備えている。誘引剤４ｂは、従来から周知の匍匐害虫を誘引するための薬剤等を挙げることができ、例えば液体であってもよいし、粉状または粒状の薬剤であってもよいし、餌等であってもよい。液体の場合は、誘引剤容器４ａに収容された吸収材に誘引剤４ｂを染み込ませておけばよい。誘引剤容器４ａは、例えば硬質樹脂製とすることができ、この実施形態では、誘引成分が揮散するように下方に向かって開放されている。誘引剤４ｂが粒剤の場合、誘引剤容器４ａの代わりに、通気性を有する袋等を利用することができる。また、粒状や粉状の誘引剤を誘引部材とすることもできる。
【００６６】
誘引部材４は、第１導入空間Ｒ１に収容されていて、第２導入空間Ｒ２には収容されていない。より具体的には、誘引部材４は、第１導入空間Ｒ１を形成する上壁部（区画壁部１５）の内面（下面）に対し、該内面に設けられた第１粘着剤２により取り付けられる。誘引部材４は、第１導入空間Ｒ１の奥側に位置付けられている。この構成により、誘因部材４から放散された誘引成分は、第１導入空間Ｒ１の奥側から手前側に向けて流れる。当該誘因成分の一部は、後側導入口１４ａを介して外部に放散されることにより、匍匐害虫を第１導入空間Ｒ１の内部へと誘引する。
【００６７】
一方、区画壁部１５に切り欠き部１５ａが設けられているので、上記誘引成分の一部は、切り欠き部１５ａの内部を通って第２導入空間Ｒ２の奥側に流入することになる。このようにして流入した誘因成分は、第２導入空間Ｒ２の奥側から手前側に向けて流れ、前側導入口１６を介して外部に放散されることにより、匍匐害虫を第２導入空間Ｒ２の内部へと誘引する。このように、一箇所の誘引部材４により、第１および第２導入空間Ｒ１、Ｒ２の内部へと匍匐害虫を誘引することができる。
【００６８】
尚、図示しないが、誘引部材４は、区画壁部１５の上面にのみ取り付け、第２導入空間Ｒ２に収容して第１導入空間Ｒ１には収容しなくてもよい。つまり、第１導入空間Ｒ１と第２導入空間Ｒ２との一方の空間にのみ誘引部材４が収容されていればよい。また、図示しないが、変形例として、第１導入空間Ｒ１と第２導入空間Ｒ２との両方に誘引部材４を収容してもよい。区画壁部１５に連通部を設けない場合には、第１導入空間Ｒ１と第２導入空間Ｒ２との両方に誘引部材４を収容するのが好ましい。
【００６９】
誘引部材４は、第１導入空間Ｒ１を形成する上壁部（区画壁部１５）の内面に対し、該内面に設けられた第１粘着剤２により取り付けられる。誘引部材４は、第１導入空間Ｒ１の奥側に位置付けられている。区画壁部１５に切り欠き部１５ａが設けられているので、誘引部材４の誘引成分は、切り欠き部１５ａの内部を通って第２導入空間Ｒ２の奥側に流入することになる。
【００７０】
図９及び図１０に示すように、第１導入空間Ｒ１を形成する底壁部１０には、誘引部材４を第１導入空間Ｒ１の外部から該第１導入空間Ｒ１に挿入するための挿入口１０ａが形成されている。尚、図９における斜線部は、挿入口１０ａを通して見える第１粘着剤２である。
【００７１】
挿入口１０ａは、誘引部材４の外形状よりも大きく形成されている。底壁部１０には、挿入口１０ａを開閉する蓋部１０ｂが一体成形されている。蓋部１０ｂは、挿入口１０ａと一致する形状であり、その前縁部１０ｃが底壁部１０と連なっている。蓋部１０ｂを開けて容器１Ａの内部を覗くと、第１粘着剤２を直接見ることができ、誘引剤容器４ａを第１粘着剤２に容易に貼り付けることができる。
【００７２】
また、図１２や図１３に示すように、区画壁部１５の右側には、右内方側板部１５ｂが設けられており、この右内方側板部１５ｂは容器１Ａの右側壁部１２の内面に沿うように配置される。区画壁部１５の左側には、左内方側板部１５ｃが設けられており、この左内方側板部１５ｃは容器１Ａの左側壁部１３の内面に沿うように配置される。
【００７３】
底壁部１０の右側には、右外方側板部２０が設けられている。右外方側板部２０の基端側は、容器１Ａの右側壁部１２の外面に沿うように配置される。右外方側板部２０は、右側壁部１２に形成された切れ込み部１２Ａに差し込まれるようになっている。また、右側壁部１２には、底壁部１０の内面に沿って延びるように折り曲げられる折り曲げ部１２Ｂが設けられている。
【００７４】
底壁部１０の左側には、左外方側板部２１が設けられている。左外方側板部２１の基端側は、容器１Ａの左側壁部１３の外面に沿うように配置される。左外方側板部２１は、左側壁部１３に形成された切れ込み部１３Ａに差し込まれるようになっている。また、左側壁部１３には、底壁部１０の内面に沿って延びるように折り曲げられる折り曲げ部１３Ｂが設けられている。
【００７５】
（板材１００の構成）
図１２や図１３に示すように、板材１００は、底壁部１０に後端壁部１４を介して上壁部１１が連なるとともに、底壁部１０に区画壁部１５が連なって形成されている。さらに、上壁部１１には右側壁部１２及び左側壁部１３が連なるとともに、返し部１７も連なっている。また、底壁部１０には右外方側板部２０及び左外方側板部２１が連なっている。つまり、容器１Ａを構成する各部によって１枚の板材１００が構成されている。尚、切り欠き部１５は板材１００の縁部に位置している。
【００７６】
そして、区画壁部１５と第２導入空間Ｒ２を形成する上壁部１１とに、それぞれ第１粘着剤２及び第２粘着剤３が設けられている。誘引部材４は板材１００には設けられていない。
【００７７】
第１粘着剤２及び第２粘着剤３は板材１００に塗布されている。すなわち、図１３及び図１４に示すように、板材１００の展開状態で、第１導入空間Ｒ１を形成する上壁部（区画壁部）の下面と、第２導入空間Ｒ２を形成する上壁部１１の下面とが該板材１００の同一面上に位置している。そして、区画壁部１５の下面と、第２導入空間Ｒ２を形成する上壁部１１の下面とに、それぞれ第１粘着剤２及び第２粘着剤３（図１２及び図１３に斜線で示す）が設けられている。
【００７８】
第１粘着剤２及び第２粘着剤３を板材１００の同一面に設けたことで、例えば図示しない塗工機を用いて粘着剤を塗布する際には、一工程で第１粘着剤２及び第２粘着剤３の両方の塗布を完了させることができる。尚、第１粘着剤２及び第２粘着剤３を板材１００の別の面に設けるようにしてもよい。
【００７９】
なお、第１粘着剤２は、区画壁部１５の下面の全面に塗布する必要はなく、その一部に塗布することもできる。同様に、第２粘着剤３は、上壁部１１の下面の全面に塗布する必要はなく、その一部に塗布することもできる。例えば図１３では、第１粘着剤２の周縁部が、区画壁部１５の前縁部、後縁部、左右両縁部から離れるように、塗布範囲が設定されている。同様に、第２粘着剤３の周縁部が、上壁部１１の前縁部、後縁部、左右両縁部から離れるように、塗布範囲が設定されている。これにより、図８等に示すように、板材１００を折り曲げて容器１Ａを形成した際に、第１粘着剤２が区画壁部１５以外の部分に粘着しなくなるとともに、第２粘着剤３が上壁部１１以外の部分に粘着しなくなる。
【００８０】
（匍匐害虫捕獲器１の製造方法）
次に、上記のように構成された匍匐害虫捕獲器１の製造方法について説明する。まず、図１２に示すような板材１００を得る。その後、図１３に示すように、粘着剤を塗布する塗工機（図示せず）を使用し、区画壁部１５と上壁部１１とに、それぞれ第１粘着剤２及び第２粘着剤３を塗布する。第１粘着剤２及び第２粘着剤３の塗布後、保護用の剥離紙を貼り付けておく。剥離紙は、匍匐害虫捕獲器１の使用開始時に剥離すればよい。第１粘着剤２及び第２粘着剤３を塗布する際には、区画壁部１５と上壁部１１との塗布面が板材１００の同一面であるため、一工程で行うことができ、生産性を高めることができる。また、剥離紙を貼り付ける際にも同様に一工程で行うことができる。
【００８１】
その後、図１４に示すように、区画壁部１５の右内方側板部１５ｂ及び左内方側板部１５ｃを折り曲げる。右内方側板部１５ｂ及び左内方側板部１５ｃを折り曲げた後、区画壁部１５が底壁部１０の上方に位置するように折り曲げる。
【００８２】
次いで、返し部１７を折り曲げるとともに、右側壁部１２及び左側壁部１３を折り曲げ、さらに折り曲げ部１２Ｂ、１３Ｂも折り曲げる。そして、上壁部１１が区画壁部１５の上方に位置するように折り曲げる。
【００８３】
しかる後、図１７に示すように右外方側板部２０及び左外方側板部２１を切れ込み部１２Ａ、１３Ａにそれぞれ挿入することで、右外方側板部２０及び左外方側板部２１を右側壁部１２及び左側壁部１３に係止させる。
【００８４】
以上のようにして容器１Ａが得られる。その後、図９及び図１０に示すように、蓋部１０ｂを、前縁部１０ｃを折り曲げ起点として容器１Ａの外側へ折り曲げて挿入口１０ａを開放する。挿入口１０ａを開放した状態にして誘引部材４を挿入口１０ａから第１導入空間Ｒ１に挿入して第２粘着剤２に貼り付ける。誘引部材４の貼り付け後に蓋部１０ｂを閉じる。蓋部１０ｂは、底壁部１０に対して爪係合等の固定構造によって固定するようにしてもよい。
【００８５】
（実施形態１の作用効果）
以上説明したように、この実施形態１によれば、図１１に示すように、後側導入口１４ａから第１導入空間Ｒ１に導入された匍匐害虫が例えばゴキブリである場合には、第１導入空間Ｒ１の上部に第１粘着剤２が配置されているので、羽根または背部が第１粘着剤２に付着することになり、第１導入空間２から逃げ出しにくくなる。また、前側導入口１６から第２導入空間Ｒ２に例えばゴキブリが導入されると、第２導入空間Ｒ２の上部に第２粘着剤３が配置されているので、羽根または背部が第２粘着剤３に付着することになり、第２導入空間Ｒ２から逃げ出しにくくなる。尚、図１１では誘引部材４を省略している。
【００８６】
第１導入空間Ｒ１及び第２導入空間Ｒ２は容器１Ａの内部において上下に形成されているので、容器１Ａの平面視における投影面積を小さくしながら、その内部において広い粘着面積を確保することが可能になる。
【００８７】
尚、捕獲対象となる匍匐害虫は、ゴキブリに限られるものではなく、床面等を歩行する害虫を全て対象とすることができる。羽根のない害虫であっても、背部が粘着剤２、３に付着することで粘着面積が広くなって逃げ出しにくくなるので、羽根の有無は問わない。
【００８８】
また、後側導入口１４ａから第１導入空間Ｒ１に導入された匍匐害虫は、第１導入空間Ｒ１を形成する壁部の内面に設けられた第１粘着剤２によって捕獲され、また、前側導入口１６から第２導入空間Ｒ２に導入された匍匐害虫は、第２導入空間Ｒ２を形成する壁部の内面に設けられた第２粘着剤３によって捕獲されるので、匍匐害虫の捕獲可能な数を増やすことができる。
【００８９】
また、誘引部材４が第１導入空間Ｒ１にのみ収容されているので、誘引部材４の数が少なくて済む。この場合に、第１導入空間Ｒ１と第２導入空間Ｒ２とが連通しているので、誘引部材４から放散される誘引成分が第１導入空間Ｒ１から第２導入空間Ｒ２に入り易くなり、匍匐害虫を両方の空間Ｒ１、Ｒ２に誘引することができる。
【００９０】
また、第１導入空間Ｒ１を形成する上壁部と第２導入空間Ｒ２を形成する底壁部とを共通化したので、容器１Ａをコンパクト化することができる。そして、第１導入空間Ｒ１を形成する上壁部に連通部を設けることで、シンプルな連通構造とすることができる。
【００９１】
（その他の実施形態）
上述の実施形態はあらゆる点で単なる例示に過ぎず、限定的に解釈してはならない。さらに、特許請求の範囲の均等範囲に属する変形や変更は、全て本発明の範囲内のものである。
【００９２】
図１８に示す変形例のように、区画壁部１５には切り欠き部の代わりに該区画壁部１５を貫通する孔部１５ｄを形成してもよい。孔部１５ｄの数は１つに限られるものではなく、複数であってもよい。また、孔部１５ｄはスリット形状であってもよい。
【００９３】
また、右側壁部１２や左側壁部１３に、匍匐害虫を導入するための導入口を形成してもよい。
【００９４】
（実施形態２）
図１９は、本発明の実施形態２に係る匍匐害虫捕獲器１を上方かつ前側から見た斜視図であり、図２０は、匍匐害虫捕獲器１を上方かつ後側から見た斜視図である。実施形態２は、容器１Ａが前端壁部１８を備えている点で実施形態１と異なるとともに、容器１Ａに形成された開口部の数や大ききも実施形態１と異なっている。以下、実施形態１と同じ部分には同じ符号を付して説明を省略し、異なる部分について詳細に説明する。
【００９５】
図２３に示すように、実施形態２の匍匐害虫捕獲器１は、匍匐害虫を導入して捕獲する捕獲空間Ｓ１を有する容器１Ａと、粘着剤３と、誘引部材４とを備えており、該容器１Ａの捕獲空間Ｓ１に導入した匍匐害虫を粘着剤３によって捕獲することができるように構成されている。さらに、この匍匐害虫捕獲器１の容器１Ａの内部には、誘引部材４が配置される誘引剤配置空間Ｓ２も形成されており、誘引剤配置空間Ｓ２には粘着剤２が設けられている。したがって、誘引剤配置空間Ｓ２に導入した匍匐害虫を粘着剤２によって捕獲することができるように構成されている。なお、詳しくは後述するが、捕獲空間Ｓ１内には誘引剤が配置されていない。
【００９６】
また、この例では、誘引部材４が容器１Ａの内部に収容されているが、これに限られるものではなく、誘引部材４が容器１Ａの外部に配置されていてもよい。誘引部材４によって捕獲空間Ｓ１や誘引剤配置空間Ｓ２に誘引された匍匐害虫を粘着剤２、３によって捕獲することができる他、誘引されなくても捕獲空間Ｓ１や誘引剤配置空間Ｓ２に導入された匍匐害虫を粘着剤３、２によって捕獲することができる。
【００９７】
また、図２３に示すように、匍匐害虫捕獲器１は、一般家庭や事務所、各種工場等の床面（設置面）２００に載置して使用することができる他、図示しないが地面に直接載置して使用することもできる。また、例えば、家具と壁の隙間や電化製品と壁の隙間等、匍匐害虫が歩行しそうな場所に設置することもできる。また、壁に沿わせて設置することや、家具や電化製品の上に設置して使用することもできる。
【００９８】
（容器１Ａの構成）
図１９〜図２３に示すように、容器１Ａは、底壁部１０と、上壁部１１と、左側壁部１３と、右側壁部１２と、前端壁部１８と、後端壁部１４とを備えている。図示しないが、底壁部１０の所定部位に切り込みを形成して開閉可能にしておき、この開閉可能な部分を開いて誘引部材４を容器１Ａの内部に挿入することができる。誘引部材４を容器１Ａの内部に挿入した後、上記開閉可能な部分を閉じておけばよい。
【００９９】
右側壁部１２は、底壁部１０の左縁部から上方へ延びるように形成されており、図２２に示す右側面視で平行四辺形に近い形状となっている。図２０等に示すように、左側壁部１３は、底壁部１０の左縁部から上方へ延びるように形成されており、左側面視で平行四辺形に近い形状となっている。左側壁部１３と、右側壁部１２とは互いに平行である。また、左側壁部１３の上縁部と右側壁部１２の上縁部とは略同じ高さに位置している。
【０１００】
図２２に示すように、前端壁部１８は、底壁部１０の前縁部から上方へ延びるように形成されており、上端に近づくほど後に位置するように傾斜している。図２１に示すように、正面からみたとき、前端壁部１８は、左右方向に長い長方形となっている。また、後端壁部１４は、底壁部１０の後縁部から上方へ延びるように形成されており、上端に近づくほど後に位置するように傾斜している。後端壁部１４も左右方向に長い長方形となっている。前端壁部１８と、後端壁部１４とは互いに平行である。また、前端壁部１８の上縁部と後端壁部１４の上縁部とは、左側壁部１３の上縁部と略同じ高さに位置している。
【０１０１】
上壁部１１は、底壁部１０と略平行に延びており、前端壁部１８の上縁部、後端壁部１４の上縁部、左側壁部１３の上縁部及び右側壁部１２の上縁部と連続している。図２５に示すように、上壁部１１は、略矩形状である。
【０１０２】
図２３に示すように、容器１Ａの内部には、捕獲空間Ｓ１と誘引剤配置空間Ｓ２とを仕切る板状の区画壁部１５が設けられている。区画壁部１５は、底壁部１０の前縁部から上壁部１１の後縁部まで傾斜しながら連続して延びるとともに、左側壁部１３から右側壁部１２まで連続して延びている。
【０１０３】
容器１Ａの前後方向に沿う縦断面形状は、平行四辺形に近い形状となっており、容器１Ａの前後方向に沿う縦断面には、鋭角となる角部と、鈍角となる角部とが２つずつ形成されることになる。この実施形態では、鋭角となる角部が容器１Ａの前下部と後上部とに形成され、鈍角となる角部が容器１Ａの前上部と後下部とに形成されることになる。区画壁部１５の前後方向の端部は、容器１Ａの前後方向に沿う縦断面形状の鋭角となる角部に配置されている。これにより、区画壁部１５の前後方向の端部が、容器１Ａの角部から位置ずれし難くなり、その結果、区画壁部１５を容器１Ａの内部で所定位置に配置しておくことができる。特に、区画壁部１５が底壁部１０や上壁部１１と一体成形されていない場合は、当該区画壁部１５が容器１Ａ内で位置ずれしてしまうおそれがあるので、上記のように配置するのが好適である。
【０１０４】
尚、区画壁部１５は、底壁部１０や上壁部１１と一体成形されていてもよい。この場合、区画壁部１５の前後方向の端部は、容器１Ａの前後方向に沿う縦断面形状の鈍角となる角部に配置することができる。また、区画壁部１５は、左側壁部１３や右側壁部１２と一体成形されていてもよい。
【０１０５】
容器１Ａの内部における区画壁部１５よりも上側の空間が捕獲空間Ｓ１であり、区画壁部１５よりも下側の空間が誘引剤配置空間Ｓ２である。したがって、捕獲空間Ｓ１の底面は区画壁部１５の上面で構成され、捕獲空間Ｓ１の上面は上壁部１１の下面で構成されることになる。また、誘引剤配置空間Ｓ２の底面は底壁部１０の上面で構成され、誘引剤配置空間Ｓ２の上面は区画壁部１５の下面で構成されることになる。捕獲空間Ｓ１の左側面及び誘引剤配置空間Ｓ２の左側面は、左側壁部１３の内面で構成され、捕獲空間Ｓ１の右側面及び誘引剤配置空間Ｓ２の右側面は、右側壁部１２の内面で構成される。
【０１０６】
図１９に示すように、前端壁部１８には、捕獲空間Ｓ１に連通する前側害虫導入口１８ｂと前側サイド開口部１８ｃとが形成されている。前側害虫導入口１８ｂは、左右方向に細長く形成されており、容器１Ａの外部の害虫を捕獲空間Ｓ１に導入するための開口部である。前側害虫導入口１８ｂは、スリット状の開口部であってもよい。前側害虫導入口１８ｂの下縁部は、前端壁部１８の下縁部から上方に離れており、左右方向に直線状に延びている。前側害虫導入口１８ｂの上縁部は、前端壁部１８の上縁部から下方に離れており、左右方向に直線状に延びている。前側害虫導入口１８ｂの左右方向の寸法は、一般的なゴキブリが余裕を持って進入できるように設定されており、例えば、３０ｍｍ以上１５０ｍｍ以下の範囲とすることができる。
【０１０７】
前側害虫導入口１８ｂをこのような形状としているのは、匍匐害虫（特にゴキブリ）が、自身の体に密着する扁平な隙間に好んで入り込む習性があるためである。前端壁部１８に前側害虫導入口１８ｂを複数形成してもよく、例えば複数の前側害虫導入口１８ｂを左右方向に並べて形成することや、前側害虫導入口１８ｂを上下方向に並べて形成することも可能である。前側害虫導入口１８ｂは、長手方向の寸法が短手方向の寸法よりも長い形状、例えば、長手方向の寸法が短手方向の寸法の２倍以上、好ましくは３倍以上の細長い形状が好ましい。
【０１０８】
前側サイド開口部１８ｃは、前側害虫導入口１８ｂの左側方及び右側方にそれぞれ配置されており、前側害虫導入口１８ｂよりも小さく形成されている。前側サイド開口部１８ｃは、害虫の導入口として使用されなくてもよいし、害虫の導入が可能な寸法にして害虫導入口として使用されてもよい。前側サイド開口部１８ｃは、省略してもよい。前側サイド開口部１８ｃを細長い形状にしてもよい。
【０１０９】
図２０に示すように、後端壁部１４には、誘引剤配置空間Ｓ２に連通する後側害虫導入口１４ｂと後側サイド開口部１４ｃとが形成されている。後側害虫導入口１４ｂは、前側害虫導入口１８ｂと同様に形成され、また、後側サイド開口部１４ｃは、前側サイド開口部１８ｃと同様に形成されている。図２３に示すように、誘引剤配置空間Ｓ２には、誘引部材４が配置されているので、誘引部材４から揮発した誘引成分は後側害虫導入口１４ｂ及び後側サイド開口部１４ｃから外部へ放散されることになり、後側害虫導入口１４ｂと後側サイド開口部１４ｃは誘引成分の放散口にもなる。この実施形態では、前端壁部１８と後端壁部１４に同じ開口部を形成しているが、これに限らず、前端壁部１８と後端壁部１４とで異なる形状の開口部を形成してもよい。
【０１１０】
図２０に示すように、左側壁部１３には、捕獲空間Ｓ１に連通する第１〜第３左側開口部１３ａ、１３ｂ、１３ｃと、誘引剤配置空間Ｓ２に連通する第４〜第６左側開口部１３ｄ、１３ｅ、１３ｆとが形成されている。第１左側開口部１３ａは、左側壁部１３の前部に形成されており、害虫の進入が可能な大きさとされている。第２左側開口部１３ｂは、左側壁部１３の第１左側開口部１３ａよりも後に形成されており、第１左側開口部１３ａよりも小さい。第３左側開口部１３ｃは、左側壁部１３の第２左側開口部１３ｂよりも後、即ち左側壁部１３の前後方向中間部に形成されており、第１左側開口部１３ａ及び第２左側開口部１３ｂよりも小さい。第２左側開口部１３ｂ及び第３左側開口部１３ｃの大きさは、害虫が進入可能な大きさとしてもよく、この場合、第２左側開口部１３ｂ及び第３左側開口部１３ｃは害虫導入口となる。
【０１１１】
第４左側開口部１３ｄは、左側壁部１３の後部に形成されており、害虫の進入が可能な大きさとされている。第５側開口部１３ｅは、左側壁部１３の第４左側開口部１３ｄよりも前に形成されており、第４左側開口部１３ｄよりも小さい。第６左側開口部１３ｆは、左側壁部１３の第５左側開口部１３ｅよりも前、即ち左側壁部１３の前後方向中間部に形成されており、第４左側開口部１３ｄ及び第５左側開口部１３ｅよりも小さい。第５左側開口部１３ｅ及び第６左側開口部１３ｆの大きさは、害虫が進入可能な大きさとしてもよく、この場合、第５左側開口部１３ｅ及び第６左側開口部１３ｆは害虫導入口となる。誘引剤配置空間Ｓ２に連通する第４〜第６左側開口部１３ｄ、１３ｅ、１３ｆは、誘引部材４の誘引成分を外部へ放散する放散口にもなる。尚、図示しないが、左側壁部１３には、前後方向に細長い害虫導入口を形成してもよい。
【０１１２】
図２２に示すように、右側壁部１２には、左側壁部１３の第１〜第６左側開口部１３ａ、１３ｂ、１３ｃ、１３ｄ、１３ｅ、１３ｆと同様に、捕獲空間Ｓ１に連通する第１〜第３右側開口部１２ａ、１２ｂ、１２ｃと、誘引剤配置空間Ｓ２に連通する第４〜第６右側開口部１２ｄ、１２ｅ、１２ｆとが形成されている。この実施形態では、左側壁部１３と右側壁部１２に同じ開口部を形成しているが、これに限らず、左側壁部１３と右側壁部１２とで異なる形状の開口部を形成してもよい。また、左側壁部１３と右側壁部１２には開口部を形成しなくてもよい。
【０１１３】
また、底壁部１０、上壁部１１、左側壁部１３、右側壁部１２、前端壁部１８及び後端壁部１４の形状は上述した形状に限られるものではなく、任意の形状にすることができる。
【０１１４】
（捕獲空間Ｓ１）
図２３に示すように、捕獲空間Ｓ１は、上壁部１１と、区画壁部１５と、左側壁部１３と、右側壁部１２と、前端壁部１８とで区画された空間であり、捕獲空間Ｓ１と誘引剤配置空間Ｓ２とは区画壁部１５によって仕切られている。捕獲空間Ｓ１と誘引剤配置空間Ｓ２との一方のみ容器１Ａに設けてもよい。
【０１１５】
捕獲空間Ｓ１には誘引部材４が配置されていないので、誘引部材４は捕獲空間Ｓ１の外部に配置されたものになる。よって、誘引部材４の誘引成分は、前側害虫導入口１８ｂ等から放散されない。尚、区画壁部１５に例えば針穴程度の小さな貫通孔や小さなスリット等が形成されていてもよく、この場合は、誘引部材４の誘引成分が貫通孔やスリットから僅かに捕獲空間Ｓ１に流入することがあるが、この誘引成分の流入は積極的に行っているものではなく、誘引効果としても実質的に無視できる程度に小さいので、本発明に含まれるものとする。
【０１１６】
また、前端壁部１８に前側害虫導入口１８ｂが形成されているので、捕獲空間Ｓ１の前側を害虫が進入する側とすることができる。この場合、区画壁部１５が上壁部１１に対して後側へ行くほど接近するように傾斜しているので、捕獲空間Ｓ１の上下方向の寸法は、捕獲空間Ｓ１の奥側へ行くほど短くなる。尚、上壁部１１を傾斜させてもよい。
【０１１７】
（誘引剤配置空間Ｓ２）
誘引剤配置空間Ｓ２は、底壁部１０と、区画壁部１５と、左側壁部１３と、右側壁部１２と、後端壁部１４とで区画された空間であり、捕獲空間Ｓ１の下に位置している。尚、容器１Ａを上下反転した状態、即ち、捕獲空間Ｓ１を下に形成し、誘引剤配置空間Ｓ２を上に形成してもよい。
【０１１８】
また、誘引剤配置空間Ｓ２は害虫を捕獲する空間として利用してもよいし、誘引部材４を配置するためだけの空間として利用してもよい。誘引部材４を配置するためだけの空間として利用する場合、容器１Ａには、誘引剤配置空間Ｓ２に連通する放散口のみ形成し、害虫導入口を形成しない形態としてもよい。
【０１１９】
誘引剤配置空間Ｓ２を害虫の捕獲空間として利用する場合、後端壁部１４に後側害虫導入口１４ｂが形成されているので、誘引剤配置空間Ｓ２の後側を害虫が進入する側とすることができる。この場合、区画壁部１５が底壁部１０に対して前側へ行くほど接近するように傾斜しているので、誘引剤配置空間Ｓ２の上下方向の寸法は、誘引剤配置空間Ｓ２の奥側へ行くほど短くなる。
【０１２０】
（粘着剤２、３の構成）
この実施形態では、上壁部１１の前端部近傍から後端部近傍まで連続し、かつ、上壁部１１の左端部近傍から右端部近傍まで連続して粘着剤３が設けられているが、これに限らず、上壁部１１の前後方向に不連続に設けてもよいし、上壁部１１の左右方向に不連続に設けてもよい。粘着剤３は、上壁部１１の前側部分と後側部分とで別々に設けてもよい。
【０１２１】
粘着剤３は、薄く形成された第１部分３ａと、第１部分３ａよりも厚く形成された第２部分３ｂとを有している。第１部分３ａと第２部分３ｂとの厚みの差は、例えば１．２倍以上３．０倍以下に設定することができるが、これに限定されるものではなく、任意の差に設定することができる。第１部分３ａと第２部分３ｂとを設けることで、匍匐害虫の捕獲能力を殆ど低下させることなく、粘着剤の使用量を削減することができる。
【０１２２】
第１部分３ａは、少なくとも上壁部１１の周縁部に設けられている。第２部分３ｂは、上壁部１１の周縁部を除いた部分に複数設けられており、この実施形態では、直線状に長い形状となっている。第２部分３ｂは、１つであってもよい。また、第２部分３ｂは、屈曲するように延びていてもよいし、蛇行するように延びていてもよい。第２部分３ｂを複数設ける場合には、互いに間隔をあけて設けることができる。第２部分３ｂは、前後方向、左右方向、斜め方向のいずれに長い形状であってもよい。また、第２部分３ｂを点状に設けることもできる。
【０１２３】
また、粘着剤２は、区画壁部１５の前端部近傍から後端部近傍まで連続し、かつ、区画壁部１５の左端部近傍から右端部近傍まで連続して設けられているが、これに限らず、区画壁部１５の前後方向に不連続に設けてもよいし、区画壁部１５の左右方向に不連続に設けてもよい。粘着剤２は、区画壁部１５の前側部分と後側部分とで別々に設けてもよい。粘着剤２は、上記粘着剤３と同様に、第１部分２ａと第２部分２ｂとを有している。
【０１２４】
図示しないが、区画壁部１５の上面に粘着剤を設けてもよいし、底壁部１０に粘着剤を設けてもよい。誘引剤配置空間Ｓ２が捕獲空間として利用されない場合には、粘着剤２を省略することができる。
【０１２５】
（誘引部材４の構成）
図２３に示すように、誘引部材４は底壁部１０に設けてもよいし、図示しないが、区画壁部１５に設けてもよい。誘引部材４を粘着剤２によって区画壁部１５や底壁部１０に接着することもできる。
【０１２６】
誘引部材４の形態は特に限定されるものではなく、例えば、通気性を有する袋体の内部に、従来から周知の匍匐害虫を誘引するための薬剤や、餌等を収容してなるものを挙げることができる。袋体は、上記粘着剤２によって区画壁部１５や底壁部１０に接着することができる。尚、図示しないが、誘引部材４を液体として誘引剤容器に収容しておくこともできる。誘引剤容器も上記粘着剤２によって区画壁部１５や底壁部１０に接着することができる。
【０１２７】
また、例えば、図２７に示す実施形態２の変形例のように、誘引部材４を容器１Ａの外部に設置してもよい。図２７に示す例では、誘引部材４を容器１Ａの上壁部１１の上面に取り付けるようにしているが、これに限らず、容器１Ａの左側壁部１３と、右側壁部１２と、前端壁部１８と、後端壁部１４とのうち、いずれか１つの壁部または複数の壁部に誘引部材４を取り付けてもよい。また、容器１Ａから離した状態で誘引部材４を設置してもよい。この変形例の場合、容器１Ａの内部には１つの空間のみを形成し、その空間を捕獲空間とすることができる。
【０１２８】
（実施形態２の作用効果）
この実施形態２によれば、実施形態１と同様に、匍匐害虫の捕獲能力を高めることができる。
【産業上の利用可能性】
【０１２９】
以上説明したように、本発明に係る匍匐害虫捕獲器は、例えば、ゴキブリ等の匍匐害虫を捕獲する場合に使用することができる。
【符号の説明】
【０１３０】
１                匍匐害虫捕獲器
１Ａ              容器
２                第１粘着剤
３                第２粘着剤
４                誘引部材
１０              底壁部
１０ａ            挿入口
１０ｂ            蓋部
１１              上壁部
１４ａ            後側導入口（第１導入口）
１５              区画壁部（区画部）
１５ａ            切り欠き部（連通部）
１５ｄ            孔部（連通部）
１６              前側導入口（第２導入口）
１００            板材
Ｇ                設置面
Ｒ１              第１導入空間
Ｒ２              第２導入空間
【図１】
2019165726.tif 000003
【図２】
2019165726.tif 000004
【図３】
2019165726.tif 000005
【図４】
2019165726.tif 000006
【図５】
2019165726.tif 000007
【図６】
2019165726.tif 000008
【図７】
2019165726.tif 000009
【図８】
2019165726.tif 000010
【図９】
2019165726.tif 000011
【図１０】
2019165726.tif 000012
【図１１】
2019165726.tif 000013
【図１２】
2019165726.tif 000014
【図１３】
2019165726.tif 000015
【図１４】
2019165726.tif 000016
【図１５】
2019165726.tif 000017
【図１６】
2019165726.tif 000018
【図１７】
2019165726.tif 000019
【図１８】
2019165726.tif 000020
【図１９】
2019165726.tif 000021
【図２０】
2019165726.tif 000022
【図２１】
2019165726.tif 000023
【図２２】
2019165726.tif 000024
【図２３】
2019165726.tif 000025
【図２４】
2019165726.tif 000026
【図２５】
2019165726.tif 000027
【図２６】
2019165726.tif 000028
【図２７】
2019165726.tif 000029
【図２８】
2019165726.tif 000030
【図２９】
2019165726.tif 000031
【図３０】
2019165726.tif 000032
【図３１】
2019165726.tif 000033